(57)【要約】【課題】本発明は水晶収納ケースを開示した。【解決手段】本発明は水晶収納ケースを開示し、収納ケース及び上に開口した昇降チャンバを含み、前記昇降チャンバの右端壁には右に開口した抜き穴が設置され、前記抜き穴の上端壁には下に開口した回転溝が設置され、前記回転溝の中には回転でき且つ前記抜き穴を封閉できる回転板が設置され、前記回転板の下端の中には前記回転板を回転させることができ且つ右端が外部空間に位置したロック軸が設置され、前記抜き穴の下端壁には上に開口したスライド溝が設置され、前記スライド溝の中には上端が前記抜き穴の中に位置したスライダと、前記スライダを復帰させるスライドバネとが設置され、水晶の安全を保証でき、且つ安全を保証できる前提に、水晶を収納する装置の形を小さくして便利に収納できる。【選択図】図１
2020184600.tif 000002
【特許請求の範囲】
【請求項１】
正面視で、収納ケース及び上に開口した昇降チャンバを含み、前記昇降チャンバの右端壁には右に開口した抜き穴が設置され、前記抜き穴の上端壁には下に開口した回転溝が設置され、前記回転溝の中には回転でき且つ前記抜き穴を封閉できる回転板が設置され、前記回転板の下端の中には前記回転板を回転させることができ且つ右端が外部空間に位置したロック軸が設置され、前記抜き穴の下端壁には上に開口したスライド溝が設置され、前記スライド溝の中には上端が前記抜き穴の中に位置したスライダと、前記スライダを復帰させるスライドバネとが設置され、前記昇降チャンバの中には昇降できる昇降ブロックが設置され、前記昇降ブロックの中には水晶を収納でき且つ前記抜き穴に連通した収納チャンバと、水晶を支持できる支持ブロックとが設置され、前記支持ブロックの中には前記支持ブロックを前記収納チャンバから引き出せる移動機構が設置され、前記移動機構の中には右に開口した移動溝が設置され、前記移動溝の中には移動板が設置され且つ前記移動板の右端には右端と前記スライダの上端とが連結された移動棒が設置され、前記移動棒の右端には上端と前記抜き穴の上端壁とが接触しており且つ前記移動棒の上への運動を制限する制限バネが固定され、前記移動溝の左端壁の中にはバネチャンバが設置され且つ前記移動溝の上端壁の中には前記移動溝に連通した移動チャンバが設置され、前記バネチャンバの中には上端が前記移動チャンバの中に位置したバネ板と、前記バネ板を復帰させる伸縮バネが設置され、前記バネ板の右端にはスライド板が設置され、前記スライド板の右端には貫通穴が設置され、前記移動板の中にはバネ溝が設置され、前記バネ溝の中には左端と前記バネ板とが接触しているバネ棒と、前記バネ棒を復帰させる伸びバネとが設置され、前記移動棒の左端には上に開口した押出溝が設置され、前記押出溝の中には上端が前記貫通穴の中に位置できる台形ブロックが設置され、前記押出溝の中にはまた前記台形ブロックを復帰させる押出バネが設置され、前記昇降ブロックの中にはまた水晶を挟む挟み機構が設置され、前記挟み機構は弓形溝を含み、前記弓形溝の中には右端に磁性を有する弓形板が設置され、前記弓形板の左端には下端と前記昇降チャンバの下端壁とが連結された支持柱が設置され、前記支持ブロックの上端には上に開口した二つのスライドチャンバが設置され、前記スライドチャンバの中には水晶を固定でき、且つ前記弓形板の右端と反発し合う挟み板が設置され、前記スライドチャンバの中には前記挟み板を復帰させる移動バネが設置され、本発明の水晶収納ケースの作用は前記移動棒を引っ張って前記収納チャンバの中の水晶を取り出し、且つ水晶を取り出さくても前記昇降ブロックを昇降させることができ、それにより直接に水晶を観察することを特徴とする水晶収納ケース。
【請求項２】
前記移動機構はまた前記移動チャンバに連通した昇降溝を含み、前記昇降溝の中には前記台形ブロックを前記押出溝の中に押し戻す押し板が設置され、前記押し板の上端には連結棒が設置され、前記連結棒の後端には押し棒が設置され且つ前記押し棒の下端面には前記押し棒を支持する支持バネが設置され、前記昇降溝の下端壁の後側の中には上に開口した回転チャンバが設置され、前記回転チャンバの下端壁には回転軸が回転できるように連結され、前記回転軸には前端が前記移動溝に位置し且つ前記移動板の後端と噛合した回転歯車が設置され、前記回転軸の上端には上端と前記押し棒の後端とが連結したロープが設置され、前記移動機構の作用は前記移動棒の移動によって、前記移動棒と前記支持ブロックとを連結し又は分離させ、それにより前記支持ブロックの運動を実現することを特徴とする請求項１に記載の水晶収納ケース。
【請求項３】
前記挟み機構は前記昇降チャンバの両側端壁の中に位置した上げ溝を含み、前記上げ溝の一側端壁の中には前記上げ溝と前記昇降チャンバとを連通した弓形チャンバが設置され、前記昇降ブロックの両端の中には一端が前記上げ溝の中に位置した上げブロックが設置され、前記挟み機構の作用は水晶を挟み且つ前記昇降ブロックが上昇して回転した後水晶を解放し、便利に観察できることを特徴とする請求項１に記載の水晶収納ケース。
【発明の詳細な説明】
【技術分野】
【０００１】
本発明は水晶の分野を取り上げて、具体的には水晶収納ケースである。
【背景技術】
【０００２】
現在、貴重な水晶の収納保護装置は、大体大きくて、持ち歩くのは不便であり、水晶を展示する時水晶を取り出して多方面から観察する必要があり、水晶の保護に不利である。
【先行技術文献】
【特許文献】
【０００３】
【特許文献１】中国特許出願公開第１０８７０３４７４号明細書
【発明の概要】
【発明が解決しようとする課題】
【０００４】
本発明の目的は水晶収納ケースを提供し、上記背景技術に提出した問題を解決する。
【課題を解決するための手段】
【０００５】
本発明の水晶収納ケースは、収納ケース及び上に開口した昇降チャンバを含み、前記昇降チャンバの右端壁には右に開口した抜き穴が設置され、前記抜き穴の上端壁には下に開口した回転溝が設置され、前記回転溝の中には回転でき且つ前記抜き穴を封閉できる回転板が設置され、前記回転板の下端の中には前記回転板を回転させることができ且つ右端が外部空間に位置したロック軸が設置され、前記抜き穴の下端壁には上に開口したスライド溝が設置され、前記スライド溝の中には上端が前記抜き穴の中に位置したスライダと、前記スライダを復帰させるスライドバネとが設置され、前記昇降チャンバの中には昇降できる昇降ブロックが設置され、前記昇降ブロックの中には水晶を収納でき且つ前記抜き穴に連通した収納チャンバと、水晶を支持できる支持ブロックとが設置され、前記支持ブロックの中には前記支持ブロックを前記収納チャンバから引き出せる移動機構が設置され、前記移動機構の中には右に開口した移動溝が設置され、前記移動溝の中には移動板が設置され且つ前記移動板の右端には右端と前記スライダの上端とが連結された移動棒が設置され、前記移動棒の右端には上端と前記抜き穴の上端壁とが接触しており且つ前記移動棒の上への運動を制限する制限バネが固定され、前記移動溝の左端壁の中にはバネチャンバが設置され且つ前記移動溝の上端壁の中には前記移動溝に連通した移動チャンバが設置され、前記バネチャンバの中には上端が前記移動チャンバの中に位置したバネ板と、前記バネ板を復帰させる伸縮バネが設置され、前記バネ板の右端にはスライド板が設置され、前記スライド板の右端には貫通穴が設置され、前記移動板の中にはバネ溝が設置され、前記バネ溝の中には左端と前記バネ板とが接触しているバネ棒と、前記バネ棒を復帰させる伸びバネとが設置され、前記移動棒の左端には上に開口した押出溝が設置され、前記押出溝の中には上端が前記貫通穴の中に位置できる台形ブロックが設置され、前記押出溝の中にはまた前記台形ブロックを復帰させる押出バネが設置され、前記昇降ブロックの中にはまた水晶を挟む挟み機構が設置され、前記挟み機構は弓形溝を含み、前記弓形溝の中には右端に磁性を有する弓形板が設置され、前記弓形板の左端には下端と前記昇降チャンバの下端壁とが連結された支持柱が設置され、前記支持ブロックの上端には上に開口した二つのスライドチャンバが設置され、前記スライドチャンバの中には水晶を固定でき、且つ前記弓形板の右端と反発し合う挟み板が設置され、前記スライドチャンバの中には前記挟み板を復帰させる移動バネが設置され、本発明の水晶収納ケースの作用は前記移動棒を引っ張って前記収納チャンバの中の水晶を取り出し、且つ水晶を取り出さくても前記昇降ブロックを昇降させることができ、それにより直接に水晶を観察する。
【０００６】
優選の技術プランとして、前記移動機構はまた前記移動チャンバに連通した昇降溝を含み、前記昇降溝の中には前記台形ブロックを前記押出溝の中に押し戻す押し板が設置され、前記押し板の上端には連結棒が設置され、前記連結棒の後端には押し棒が設置され且つ前記押し棒の下端面には前記押し棒を支持する支持バネが設置され、前記昇降溝の下端壁の後側の中には上に開口した回転チャンバが設置され、前記回転チャンバの下端壁には回転軸が回転できるように連結され、前記回転軸には前端が前記移動溝に位置し且つ前記移動板の後端と噛合した回転歯車が設置され、前記回転軸の上端には上端と前記押し棒の後端とが連結したロープが設置され、前記移動機構の作用は前記移動棒の移動によって、前記移動棒と前記支持ブロックとを連結し又は分離させ、それにより前記支持ブロックの運動を実現する。
【０００７】
優選の技術プランとして、前記挟み機構は前記昇降チャンバの両側端壁の中に位置した上げ溝を含み、前記上げ溝の一側端壁の中には前記上げ溝と前記昇降チャンバとを連通した弓形チャンバが設置され、前記昇降ブロックの両端の中には一端が前記上げ溝の中に位置した上げブロックが設置され、前記挟み機構の作用は水晶を挟み且つ前記昇降ブロックが上昇して回転した後水晶を解放し、便利に観察できる。
【発明の効果】
【０００８】
本発明の有益な効果は：本発明は構造が簡単で、操作が便利で、簡単な操作と機械の伝動によって水晶を取り出さなくても多方面から水晶を観察でき、水晶の安全を保証でき、且つ安全を保証できる前提に、水晶を収納する装置の形を小さくして便利に収納できる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水晶収納ケースの全体断面の正面構造模式図
【図２】図２は本発明の水晶収納ケースの全体断面の左面構造模式図
【図３】図３は本発明の水晶収納ケースの全体局部断面の上面拡大構造模式図
【図４】図４は本発明の水晶収納ケースの移動機構の局部断面の正面拡大構造模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１〜４を参考して、本発明の水晶収納ケースは、収納ケース１及び上に開口した昇降チャンバ５を含み、前記昇降チャンバ５の右端壁には右に開口した抜き穴２３が設置され、前記抜き穴２３の上端壁には下に開口した回転溝２６が設置され、前記回転溝２６の中には回転でき且つ前記抜き穴２３を封閉できる回転板２５が設置され、前記回転板２５の下端の中には前記回転板２５を回転させることができ且つ右端が外部空間に位置したロック軸２４が設置され、前記抜き穴２３の下端壁には上に開口したスライド溝１６が設置され、前記スライド溝１６の中には上端が前記抜き穴２３の中に位置したスライダ１８と、前記スライダ１８を復帰させるスライドバネ１７とが設置され、前記昇降チャンバ５の中には昇降できる昇降ブロック２８が設置され、前記昇降ブロック２８の中には水晶を収納でき且つ前記抜き穴２３に連通した収納チャンバ２７と、水晶を支持できる支持ブロック４３とが設置され、前記支持ブロック４３の中には前記支持ブロック４３を前記収納チャンバ２７から引き出せる移動機構４８が設置され、前記移動機構４８の中には右に開口した移動溝４１が設置され、前記移動溝４１の中には移動板１４が設置され且つ前記移動板１４の右端には右端と前記スライダ１８の上端とが連結された移動棒１９が設置され、前記移動棒１９の右端には上端と前記抜き穴２３の上端壁とが接触しており且つ前記移動棒１９の上への運動を制限する制限バネ２０が固定され、前記移動溝４１の左端壁の中にはバネチャンバ９が設置され且つ前記移動溝４１の上端壁の中には前記移動溝４１に連通した移動チャンバ７が設置され、前記バネチャンバ９の中には上端が前記移動チャンバ７の中に位置したバネ板１１と、前記バネ板１１を復帰させる伸縮バネ８が設置され、前記バネ板１１の右端にはスライド板１２が設置され、前記スライド板１２の右端には貫通穴２１が設置され、前記移動板１４の中にはバネ溝４７が設置され、前記バネ溝４７の中には左端と前記バネ板１１とが接触しているバネ棒１３と、前記バネ棒１３を復帰させる伸びバネ４６とが設置され、前記移動棒１９の左端には上に開口した押出溝４４が設置され、前記押出溝４４の中には上端が前記貫通穴２１の中に位置できる台形ブロック１５が設置され、前記押出溝４４の中にはまた前記台形ブロック１５を復帰させる押出バネ４５が設置され、前記昇降ブロック２８の中にはまた水晶を挟む挟み機構４９が設置され、前記挟み機構４９は弓形溝２９を含み、前記弓形溝２９の中には右端に磁性を有する弓形板４が設置され、前記弓形板４の左端には下端と前記昇降チャンバ５の下端壁とが連結された支持柱６が設置され、前記支持ブロック４３の上端には上に開口した二つのスライドチャンバ４０が設置され、前記スライドチャンバ４０の中には水晶を固定でき、且つ前記弓形板４の右端と反発し合う挟み板３０が設置され、前記スライドチャンバ４０の中には前記挟み板３０を復帰させる移動バネ３３が設置され、本発明の水晶収納ケースの作用は前記移動棒１９を引っ張って前記収納チャンバ２７の中の水晶を取り出し、且つ水晶を取り出さくても前記昇降ブロック２８を昇降させることができ、それにより直接に水晶を観察する。
【００１３】
有益なように、前記移動機構４８はまた前記移動チャンバ７に連通した昇降溝３２を含み、前記昇降溝３２の中には前記台形ブロック１５を前記押出溝４４の中に押し戻す押し板２２が設置され、前記押し板２２の上端には連結棒３１が設置され、前記連結棒３１の後端には押し棒３４が設置され且つ前記押し棒３４の下端面には前記押し棒３４を支持する支持バネ３５が設置され、前記昇降溝３２の下端壁の後側の中には上に開口した回転チャンバ４２が設置され、前記回転チャンバ４２の下端壁には回転軸３８が回転できるように連結され、前記回転軸３８には前端が前記移動溝４１に位置し且つ前記移動板１４の後端と噛合した回転歯車３７が設置され、前記回転軸３８の上端には上端と前記押し棒３４の後端とが連結したロープ３６が設置され、前記移動機構４８の作用は前記移動棒１９の移動によって、前記移動棒１９と前記支持ブロック４２とを連結し又は分離させ、それにより前記支持ブロック４３の運動を実現する。
【００１４】
有益なように、前記挟み機構４９は前記昇降チャンバ５の両側端壁の中に位置した上げ溝２を含み、前記上げ溝２の一側端壁の中には前記上げ溝２と前記昇降チャンバ５とを連通した弓形チャンバ１０が設置され、前記昇降ブロック２８の両端の中には一端が前記上げ溝２の中に位置した上げブロック３が設置され、前記挟み機構４９の作用は水晶を挟み且つ前記昇降ブロック２８が上昇して回転した後水晶を解放し、便利に観察できる。
【００１５】
以下、付図１〜４及び上記の本願発明の水晶収納ケースの具体的な構造を参考してその使い方を詳しく説明する：
【００１６】
水晶を取り出す時、ロック軸２４を回転させて回転板２５を回転させ、それにより抜き穴２３を開け、左に移動棒１９を押し、それにより移動板１４と、バネ棒１３と、バネ板１１とスライド板１２とを左に運動させ、伸縮バネ８とスライドバネ１７が圧縮され、台形ブロック１５が移動溝４１の上端壁を貫通し且つ貫通穴２１の中に位置するようになった後、移動棒１９を解放し、スライドバネ１７が復帰し、それにより移動棒１７を復帰させ、台形ブロック１５の伝動によって支持ブロック４３を連動させて右に運動して抜き穴２３の中に入らせ、スライド板３０と弓形板４との間が変位して反発しなくなり、スライド板３０が移動バネ３３の作用によって復帰し、それにより水晶を便利に取り出し、支持ブロック４３を復帰させる時、再び移動棒１９を押して支持ブロック４３を元に復帰させ、この時再び左に移動棒１９を押し、移動板１４と回転歯車３７の前端とを接触させ回転歯車３７を回転連動させ、それにより回転軸３８を回転させ、ロープ３６をきつく巻き、押し棒３４と、連結棒３１と、押し板３９とを下に運動させ、それにより台形ブロック１５を押出溝４４に押し戻し、連結棒３１と貫通穴２１との間に摩擦運動を発生させ、この時移動棒１９を解放し、移動棒１９がスライドバネ１７の作用によって復帰し、回転歯車３７が復帰し、ロープ３６が緩み、押し板３９と、連結棒３１と、押し棒３４とが支持バネ３５の作用によってゆっくり復帰し、最終に移動機構４８を復帰させる。
【００１７】
昇降ブロック２８を昇降させる時、上に昇降ブロック２８を引っ張ってから再び昇降ブロック２８を回転させ、上げブロック３を弓形チャンバ１０の中に位置させ、昇降ブロック２８のほんの少しの回転により挟み板３０と弓形板４の両端が正面から相対できなくなり、反発の力が小さくなり、それにより挟み板３０が移動バネ３３の作用によって復帰し、それにより水晶を解放し、水晶を便利に観察できる。
【００１８】
本発明の有益な効果は：本発明は構造が簡単で、操作が便利で、簡単な操作と機械の伝動によって水晶を取り出さなくても多方面から水晶を観察でき、水晶の安全を保証でき、且つ安全を保証できる前提に、水晶を収納する装置の形を小さくして便利に収納できる。
【００１９】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。
【図１】
2020184600.tif 000003
【図２】
2020184600.tif 000004
【図３】
2020184600.tif 000005
【図４】
2020184600.tif 000006
【手続補正書】
【提出日】令和2年4月30日(2020.4.30)
【手続補正１】
【補正対象書類名】特許請求の範囲
【補正対象項目名】請求項１
【補正方法】変更
【補正の内容】
【請求項１】
正面視で、収納ケース及び上に開口した昇降チャンバを含み、前記昇降チャンバの右端壁には右に開口した抜き穴が設置され、前記抜き穴の上端壁には下に開口した回転溝が設置され、前記回転溝の中には回転でき且つ前記抜き穴を封閉できる回転板が設置され、前記回転板の下端の中には前記回転板を回転させることができ且つ右端が外部空間に位置したロック軸が設置され、前記抜き穴の下端壁には上に開口したスライド溝が設置され、前記スライド溝の中には上端が前記抜き穴の中に位置したスライダと、前記スライダを復帰させるスライドバネとが設置され、前記昇降チャンバの中には昇降できる昇降ブロックが設置され、前記昇降ブロックの中には水晶を収納でき且つ前記抜き穴に連通した収納チャンバと、水晶を支持できる支持ブロックとが設置され、前記支持ブロックの中には前記支持ブロックを前記収納チャンバから引き出せる移動機構が設置され、前記移動機構の中には右に開口した移動溝が設置され、前記移動溝の中には移動板が設置され且つ前記移動板の右端には右端と前記スライダの上端とが連結された移動棒が設置され、前記移動棒の右端には上端と前記抜き穴の上端壁とが接触しており且つ前記移動棒の上への運動を制限する制限バネが固定され、前記移動溝の左端壁の中にはバネチャンバが設置され且つ前記移動溝の上端壁の中には前記移動溝に連通した移動チャンバが設置され、前記バネチャンバの中には上端が前記移動チャンバの中に位置したバネ板と、前記バネ板を復帰させる伸縮バネが設置され、前記バネ板の右端にはスライド板が設置され、前記スライド板の右端には貫通穴が設置され、前記移動板の中にはバネ溝が設置され、前記バネ溝の中には左端と前記バネ板とが接触しているバネ棒と、前記バネ棒を復帰させる伸びバネとが設置され、前記移動棒の左端には上に開口した押出溝が設置され、前記押出溝の中には上端が前記貫通穴の中に位置できる台形ブロックが設置され、前記押出溝の中にはまた前記台形ブロックを復帰させる押出バネが設置され、前記昇降ブロックの中にはまた水晶を挟む挟み機構が設置され、前記挟み機構は弓形溝を含み、前記弓形溝の中には右端に磁性を有する弓形板が設置され、前記弓形板の左端には下端と前記昇降チャンバの下端壁とが連結された支持柱が設置され、前記支持ブロックの上端には上に開口した二つのスライドチャンバが設置され、前記スライドチャンバの中には水晶を固定でき、且つ前記弓形板の右端と反発し合う挟み板が設置され、前記スライドチャンバの中には前記挟み板を復帰させる移動バネが設置され、本発明の水晶収納ケースの作用は前記移動棒を押し動かして前記収納チャンバの中の水晶を取り出し、且つ水晶を取り出さなくても前記昇降ブロックを昇降させることができ、それにより直接に水晶を観察することを特徴とする水晶収納ケース。
【手続補正２】
【補正対象書類名】明細書
【補正対象項目名】全文
【補正方法】変更
【補正の内容】
【発明の詳細な説明】
【技術分野】
【０００１】
本発明は水晶の分野を取り上げて、具体的には水晶収納ケースである。
【背景技術】
【０００２】
現在、貴重な水晶の収納保護装置は、大体大きくて、持ち歩くのは不便であり、水晶を展示する時水晶を取り出して多方面から観察する必要があり、水晶の保護に不利である。
【先行技術文献】
【特許文献】
【０００３】
【特許文献１】中国特許出願公開第１０８７０３４７４号明細書
【発明の概要】
【発明が解決しようとする課題】
【０００４】
本発明の目的は水晶収納ケースを提供し、上記背景技術に提出した問題を解決する。
【課題を解決するための手段】
【０００５】
本発明の水晶収納ケースは、収納ケース及び上に開口した昇降チャンバを含み、前記昇降チャンバの右端壁には右に開口した抜き穴が設置され、前記抜き穴の上端壁には下に開口した回転溝が設置され、前記回転溝の中には回転でき且つ前記抜き穴を封閉できる回転板が設置され、前記回転板の下端の中には前記回転板を回転させることができ且つ右端が外部空間に位置したロック軸が設置され、前記抜き穴の下端壁には上に開口したスライド溝が設置され、前記スライド溝の中には上端が前記抜き穴の中に位置したスライダと、前記スライダを復帰させるスライドバネとが設置され、前記昇降チャンバの中には昇降できる昇降ブロックが設置され、前記昇降ブロックの中には水晶を収納でき且つ前記抜き穴に連通した収納チャンバと、水晶を支持できる支持ブロックとが設置され、前記支持ブロックの中には前記支持ブロックを前記収納チャンバから引き出せる移動機構が設置され、前記移動機構の中には右に開口した移動溝が設置され、前記移動溝の中には移動板が設置され且つ前記移動板の右端には右端と前記スライダの上端とが連結された移動棒が設置され、前記移動棒の右端には上端と前記抜き穴の上端壁とが接触しており且つ前記移動棒の上への運動を制限する制限バネが固定され、前記移動溝の左端壁の中にはバネチャンバが設置され且つ前記移動溝の上端壁の中には前記移動溝に連通した移動チャンバが設置され、前記バネチャンバの中には上端が前記移動チャンバの中に位置したバネ板と、前記バネ板を復帰させる伸縮バネが設置され、前記バネ板の右端にはスライド板が設置され、前記スライド板の右端には貫通穴が設置され、前記移動板の中にはバネ溝が設置され、前記バネ溝の中には左端と前記バネ板とが接触しているバネ棒と、前記バネ棒を復帰させる伸びバネとが設置され、前記移動棒の左端には上に開口した押出溝が設置され、前記押出溝の中には上端が前記貫通穴の中に位置できる台形ブロックが設置され、前記押出溝の中にはまた前記台形ブロックを復帰させる押出バネが設置され、前記昇降ブロックの中にはまた水晶を挟む挟み機構が設置され、前記挟み機構は弓形溝を含み、前記弓形溝の中には右端に磁性を有する弓形板が設置され、前記弓形板の左端には下端と前記昇降チャンバの下端壁とが連結された支持柱が設置され、前記支持ブロックの上端には上に開口した二つのスライドチャンバが設置され、前記スライドチャンバの中には水晶を固定でき、且つ前記弓形板の右端と反発し合う挟み板が設置され、前記スライドチャンバの中には前記挟み板を復帰させる移動バネが設置され、本発明の水晶収納ケースの作用は前記移動棒を押し動かして前記収納チャンバの中の水晶を取り出し、且つ水晶を取り出さなくても前記昇降ブロックを昇降させることができ、それにより直接に水晶を観察する。
【０００６】
優選の技術プランとして、前記移動機構はまた前記移動チャンバに連通した昇降溝を含み、前記昇降溝の中には前記台形ブロックを前記押出溝の中に押し戻す押し板が設置され、前記押し板の上端には連結棒が設置され、前記連結棒の後端には押し棒が設置され且つ前記押し棒の下端面には前記押し棒を支持する支持バネが設置され、前記昇降溝の下端壁の後側の中には上に開口した回転チャンバが設置され、前記回転チャンバの下端壁には回転軸が回転できるように連結され、前記回転軸には前端が前記移動溝に位置し且つ前記移動板の後端と噛合した回転歯車が設置され、前記回転軸の上端には上端と前記押し棒の後端とが連結したロープが設置され、前記移動機構の作用は前記移動棒の移動によって、前記移動棒と前記支持ブロックとを連結し又は分離させ、それにより前記支持ブロックの運動を実現する。
【０００７】
優選の技術プランとして、前記挟み機構は前記昇降チャンバの両側端壁の中に位置した上げ溝を含み、前記上げ溝の一側端壁の中には前記上げ溝と前記昇降チャンバとを連通した弓形チャンバが設置され、前記昇降ブロックの両端の中には一端が前記上げ溝の中に位置した上げブロックが設置され、前記挟み機構の作用は水晶を挟み且つ前記昇降ブロックが上昇して回転した後水晶を解放し、便利に観察できる。
【発明の効果】
【０００８】
本発明の有益な効果は：本発明は構造が簡単で、操作が便利で、簡単な操作と機械の伝動によって水晶を取り出さなくても多方面から水晶を観察でき、水晶の安全を保証でき、且つ安全を保証できる前提に、水晶を収納する装置の形を小さくして便利に収納できる。
【図面の簡単な説明】
【０００９】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明の水晶収納ケースの全体断面の正面構造模式図
【図２】図２は本発明の水晶収納ケースの全体断面の左面構造模式図
【図３】図３は本発明の水晶収納ケースの全体局部断面の上面拡大構造模式図
【図４】図４は本発明の水晶収納ケースの移動機構の局部断面の正面拡大構造模式図
【発明を実施するための形態】
【００１１】
本説明書に公開されるいずれもの特徴、或いは公開されるいずれもの方法或いは過程中の順序は互いに排斥する特徴／或いは順序以外、いかなる方式によって組み合わせる。
【００１２】
図１〜４を参考して、本発明の水晶収納ケースは、収納ケース１及び上に開口した昇降チャンバ５を含み、前記昇降チャンバ５の右端壁には右に開口した抜き穴２３が設置され、前記抜き穴２３の上端壁には下に開口した回転溝２６が設置され、前記回転溝２６の中には回転でき且つ前記抜き穴２３を封閉できる回転板２５が設置され、前記回転板２５の下端の中には前記回転板２５を回転させることができ且つ右端が外部空間に位置したロック軸２４が設置され、前記抜き穴２３の下端壁には上に開口したスライド溝１６が設置され、前記スライド溝１６の中には上端が前記抜き穴２３の中に位置したスライダ１８と、前記スライダ１８を復帰させるスライドバネ１７とが設置され、前記昇降チャンバ５の中には昇降できる昇降ブロック２８が設置され、前記昇降ブロック２８の中には水晶を収納でき且つ前記抜き穴２３に連通した収納チャンバ２７と、水晶を支持できる支持ブロック４３とが設置され、前記支持ブロック４３の中には前記支持ブロック４３を前記収納チャンバ２７から引き出せる移動機構４８が設置され、前記移動機構４８の中には右に開口した移動溝４１が設置され、前記移動溝４１の中には移動板１４が設置され且つ前記移動板１４の右端には右端と前記スライダ１８の上端とが連結された移動棒１９が設置され、前記移動棒１９の右端には上端と前記抜き穴２３の上端壁とが接触しており且つ前記移動棒１９の上への運動を制限する制限バネ２０が固定され、前記移動溝４１の左端壁の中にはバネチャンバ９が設置され且つ前記移動溝４１の上端壁の中には前記移動溝４１に連通した移動チャンバ７が設置され、前記バネチャンバ９の中には上端が前記移動チャンバ７の中に位置したバネ板１１と、前記バネ板１１を復帰させる伸縮バネ８が設置され、前記バネ板１１の右端にはスライド板１２が設置され、前記スライド板１２の右端には貫通穴２１が設置され、前記移動板１４の中にはバネ溝４７が設置され、前記バネ溝４７の中には左端と前記バネ板１１とが接触しているバネ棒１３と、前記バネ棒１３を復帰させる伸びバネ４６とが設置され、前記移動棒１９の左端には上に開口した押出溝４４が設置され、前記押出溝４４の中には上端が前記貫通穴２１の中に位置できる台形ブロック１５が設置され、前記押出溝４４の中にはまた前記台形ブロック１５を復帰させる押出バネ４５が設置され、前記昇降ブロック２８の中にはまた水晶を挟む挟み機構４９が設置され、前記挟み機構４９は弓形溝２９を含み、前記弓形溝２９の中には右端に磁性を有する弓形板４が設置され、前記弓形板４の左端には下端と前記昇降チャンバ５の下端壁とが連結された支持柱６が設置され、前記支持ブロック４３の上端には上に開口した二つのスライドチャンバ４０が設置され、前記スライドチャンバ４０の中には水晶を固定でき、且つ前記弓形板４の右端と反発し合う挟み板３０が設置され、前記スライドチャンバ４０の中には前記挟み板３０を復帰させる移動バネ３３が設置され、本発明の水晶収納ケースの作用は前記移動棒１９を押し動かして前記収納チャンバ２７の中の水晶を取り出し、且つ水晶を取り出さなくても前記昇降ブロック２８を昇降させることができ、それにより直接に水晶を観察する。
【００１３】
有益なように、前記移動機構４８はまた前記移動チャンバ７に連通した昇降溝３２を含み、前記昇降溝３２の中には前記台形ブロック１５を前記押出溝４４の中に押し戻す押し板２２が設置され、前記押し板２２の上端には連結棒３１が設置され、前記連結棒３１の後端には押し棒３４が設置され且つ前記押し棒３４の下端面には前記押し棒３４を支持する支持バネ３５が設置され、前記昇降溝３２の下端壁の後側の中には上に開口した回転チャンバ４２が設置され、前記回転チャンバ４２の下端壁には回転軸３８が回転できるように連結され、前記回転軸３８には前端が前記移動溝４１に位置し且つ前記移動板１４の後端と噛合した回転歯車３７が設置され、前記回転軸３８の上端には上端と前記押し棒３４の後端とが連結したロープ３６が設置され、前記移動機構４８の作用は前記移動棒１９の移動によって、前記移動棒１９と前記支持ブロック４２とを連結し又は分離させ、それにより前記支持ブロック４３の運動を実現する。
【００１４】
有益なように、前記挟み機構４９は前記昇降チャンバ５の両側端壁の中に位置した上げ溝２を含み、前記上げ溝２の一側端壁の中には前記上げ溝２と前記昇降チャンバ５とを連通した弓形チャンバ１０が設置され、前記昇降ブロック２８の両端の中には一端が前記上げ溝２の中に位置した上げブロック３が設置され、前記挟み機構４９の作用は水晶を挟み且つ前記昇降ブロック２８が上昇して回転した後水晶を解放し、便利に観察できる。
【００１５】
以下、付図１〜４及び上記の本願発明の水晶収納ケースの具体的な構造を参考してその使い方を詳しく説明する：
【００１６】
水晶を取り出す時、ロック軸２４を回転させて回転板２５を回転させ、それにより抜き穴２３を開け、左に移動棒１９を押し、それにより移動板１４と、バネ棒１３と、バネ板１１とスライド板１２とを左に運動させ、伸縮バネ８とスライドバネ１７が圧縮され、台形ブロック１５が移動溝４１の上端壁を貫通し且つ貫通穴２１の中に位置するようになった後、移動棒１９を解放し、スライドバネ１７が復帰し、それにより移動棒１９を復帰させ、台形ブロック１５の伝動によって支持ブロック４３を連動させて右に運動して抜き穴２３の中に入らせ、スライド板３０と弓形板４との間が変位して反発しなくなり、スライド板３０が移動バネ３３の作用によって復帰し、それにより水晶を便利に取り出し、支持ブロック４３を復帰させる時、再び移動棒１９を押して支持ブロック４３を元に復帰させ、この時再び左に移動棒１９を押し、移動板１４と回転歯車３７の前端とを接触させ回転歯車３７を回転連動させ、それにより回転軸３８を回転させ、ロープ３６をきつく巻き、押し棒３４と、連結棒３１と、押し板３９とを下に運動させ、それにより台形ブロック１５を押出溝４４に押し戻し、連結棒３１と貫通穴２１との間に摩擦運動を発生させ、この時移動棒１９を解放し、移動棒１９がスライドバネ１７の作用によって復帰し、回転歯車３７が復帰し、ロープ３６が緩み、押し板３９と、連結棒３１と、押し棒３４とが支持バネ３５の作用によってゆっくり復帰し、最終に移動機構４８を復帰させる。
【００１７】
昇降ブロック２８を昇降させる時、上に昇降ブロック２８を引っ張ってから再び昇降ブロック２８を回転させ、上げブロック３を弓形チャンバ１０の中に位置させ、昇降ブロック２８のほんの少しの回転により挟み板３０と弓形板４の両端が正面から相対できなくなり、反発の力が小さくなり、それにより挟み板３０が移動バネ３３の作用によって復帰し、それにより水晶を解放し、水晶を便利に観察できる。
【００１８】
本発明の有益な効果は：本発明は構造が簡単で、操作が便利で、簡単な操作と機械の伝動によって水晶を取り出さなくても多方面から水晶を観察でき、水晶の安全を保証でき、且つ安全を保証できる前提に、水晶を収納する装置の形を小さくして便利に収納できる。
【００１９】
以上により、発明の具体実施方式だけであり、ところが、発明の保護範囲はこれには限らない、創造性労働のない考えた変化や入替えは、発明の保護範囲の中に含むべきである。そのため、発明の保護範囲は特許文献によって制限される保護範囲を准すべきである。